(57)【要約】【課題】画像処理装置とパーソナルコンピュータとを具備し、上記画像処理装置が外部処理装置に接続されている画像処理システムにおいて、日時を設定する場合、上記外部処理装置内に常駐プログラムを常に動作させる必要がなく、外部処理装置の処理能力が向上する画像処理システムおよび画像処理システムにおける制御方法を提供することを目的とするものである。【解決手段】画像情報処理装置とパーソナルコンピュータとを具備する画像情報処理システムにおいて、上記画像処理装置に外部処理装置を接続し、上記外部処理装置から上記画像情報処理装置に日時情報を転送することを、上記外部処理装置に要求し、日時情報と日時設定命令とを、上記外部処理装置から受信し、上記受信した日時設定命令に基づいて、上記受信した日時情報を、上記画像処理装置に設定することを特徴とする画像処理システムである。【選択図】  図４
2004274146.tif 000002
【特許請求の範囲】
【請求項１】
画像情報処理装置とパーソナルコンピュータとを具備する画像情報処理システムにおいて、
上記画像処理装置に外部処理装置を接続する接続手段と；
上記外部処理装置から上記画像情報処理装置に日時情報を転送することを、上記外部処理装置に要求する日時情報要求手段と；
日時情報と日時設定命令とを、上記外部処理装置から受信する受信手段と；
上記受信手段が受信した日時設定命令に基づいて、上記受信手段が受信した日時情報を、上記画像処理装置に設定する日時設定手段と；
を有することを特徴とする画像処理システム。
【請求項２】
請求項１において、
上記日時情報は、サマータイム情報を含む情報であることを特徴とする画像処理システム。
【請求項３】
請求項１または請求項２において、
上記日時情報要求手段は、上記外部処理装置と上記画像処理装置との接続が確立してから、一定時間経過後に、上記日時情報の転送を上記外部処理装置に要求する手段であることを特徴とする画像処理システム。
【請求項４】
請求項３において、
上記日時情報要求手段は、上記外部処理装置と上記画像処理装置との接続が確立してから、一定時間経過後に、上記日時情報の転送を上記外部処理装置に要求し、さらに一定時間経過した場合に、上記日時情報の転送を上記外部処理装置に要求する手段であることを特徴とする画像処理システム。
【請求項５】
請求項４において、
上記日時情報要求手段は、上記画像処理装置が、上記日時設定手段によって日時情報を上記画像処理装置に設定した時点で、上記さらに一定時間経過した場合に上記日時情報の転送を上記外部処理装置に要求する動作を停止する手段であることを特徴とする画像処理システム。
【請求項６】
画像情報処理装置とパーソナルコンピュータとを具備する画像情報処理システムの制御方法において、
上記画像処理装置に外部処理装置を接続する接続段階と；
上記外部処理装置から上記画像情報処理装置に日時情報を転送することを、上記外部処理装置に要求する日時情報要求段階と；
日時情報と日時設定命令とを、上記外部処理装置から受信する受信段階と；
上記受信段階で受信した日時設定命令に基づいて、上記受信段階で受信した日時情報を、上記画像処理装置に設定する日時設定段階と；
を有することを特徴とする画像処理システムの制御方法。
【発明の詳細な説明】
【０００１】
【発明の属する技術分野】
本発明は、画像処理システムに係り、特に、日時情報を管理する画像処理システムおよびその制御方法に関する。
【０００２】
【従来の技術】
日時情報を管理する従来の画像処理システムは、画像処理装置とパーソナルコンピュータとを具備し、上記画像処理装置が外部処理装置に接続され、上記外部処理装置内の常駐プログラムが、日時設定コマンドを、上記画像処理装置に、一方的に転送する。
【０００３】
また、上記外部処理装置におけるサマータイム設定と、上記画像処理装置におけるサマータイム設定とが、別々に行われ、管理されている。
【０００４】
【発明が解決しようとする課題】
しかし、上記従来例では、日時を設定する場合、上記外部処理装置内に常駐プログラムを常に動作させる必要があるので、上記外部処理装置の処理能力が低下するという問題がある。
【０００５】
また、上記従来例では、常駐プログラムの処理異常等の不具合が生じるという問題がある。
【０００６】
さらに、上記従来例では、上記外部処理装置におけるサマータイム設定値と、上記画像処理装置におけるサマータイム設定値とが、それぞれ独立して設定され、管理されているので、オペレータが、双方のサマータイム設定値を、間違えて登録すると、上記画像処理装置の時刻情報がずれるという問題がある。
【０００７】
本発明は、画像処理装置とパーソナルコンピュータとを具備し、上記画像処理装置が外部処理装置に接続されている画像処理システムにおいて、日時を設定する場合、上記外部処理装置内に常駐プログラムを常に動作させる必要がなく、外部処理装置の処理能力が向上する画像処理システムおよび画像処理システムにおける制御方法を提供することを目的とするものである。
【０００８】
【課題を解決するための手段】
本発明は、画像情報処理装置とパーソナルコンピュータとを具備する画像情報処理システムにおいて、上記画像処理装置に外部処理装置を接続し、上記外部処理装置から上記画像情報処理装置に日時情報を転送することを、上記外部処理装置に要求し、日時情報と日時設定命令とを、上記外部処理装置から受信し、上記受信した日時設定命令に基づいて、上記受信した日時情報を、上記画像処理装置に設定することを特徴とする画像処理システムである。
【０００９】
【発明の実施の形態および実施例】
図１は、本発明の一実施例である画像処理システム１００の概略構成を示すブロック図である。
【００１０】
画像処理システム１００は、画像処理装置２００と、パーソナルコンピュータ３００とを有し、画像処理装置２００と、パーソナルコンピュータ３００とは、ＵＳＢ（Ｕｎｉｖｅｒｓａｌ  Ｓｅｒｉａｌ  Ｂｕｓ）通信インタフェース等の汎用通信手段によって接続され、互いに情報の送受信が可能である。
【００１１】
ＵＳＢ通信インタフェース規格は、双方向のデータ通信を高速に行うことができる規格であり、１台のホスト（マスター）に対し、複数のデバイス（スレーブ）を接続することができる。パーソナルコンピュータ３００は、ＵＳＢ通信におけるホストの機能を有する。画像処理装置２００は、ＵＳＢ通信におけるデバイスの機能を有し、ファクシミリ通信のための公衆通信回線２３１が接続される。
【００１２】
次に、画像処理装置２００について詳細に説明する。
【００１３】
図２は、画像処理システム１００に含まれている画像処理装置２００の概略構成を示すブロック図である。
【００１４】
画像処理装置２００において、ＭＰＵ部２０１は、ＣＰＵ（Ｃｅｎｔｒａｌ  Ｐｒｏｃｅｓｓｉｎｇ  Ｕｎｉｔ）を含むシステム全体の主制御部であり、画像処理装置２００の全体を制御する。
【００１５】
ＲＯＭ部２０２は、ＭＰＵ部２０１が実行する制御プログラムや参照するデータテーブル、組み込みオペレーティングシステム（組み込みＯＳ）プログラム等の書き換え不可能な固定データを格納する。本実施例では、ＲＯＭ部２０２に格納されている各制御プログラムは、ＲＯＭ部２０２に格納されている組み込みＯＳの管理下で、スケジューリングやタスクスイッチ、割り込み処理、タイマ処理等のソフトウエア実行制御を行い、記録制御や読取制御、通信制御等のマルチタスク機能を実現する。
【００１６】
バックアップメモリ部２０３は、バックアップ電源を必要とするＳＲＡＭ（Ｓｔａｔｉｃ  Ｒａｎｄｏｍ  Ａｃｃｅｓｓ  Ｍｅｍｏｒｙ）等で構成され、図示しないデータバックアップ用の１次電池によってデータが保持されている。バックアップメモリ部２０３には、データが消去されては不都合なプログラム制御変数等を格納する。また、オペレータが登録した設定値や画像処理装置２００の管理データ等を格納するメモリエリアも設けられている。
【００１７】
画像蓄積メモリ部２０４は、ＤＲＡＭ（Ｄｙｎａｍｉｃ  Ｒａｎｄｏｍ  Ａｃｃｅｓｓ  Ｍｅｍｏｒｙ）等で構成され、主に、画像処理装置２００で扱う画像データや、記録デバイス部２１５（詳細後述）へ送出する印刷データや、記録デバイス部２１５から取得したステータス情報等を蓄積する。また、一部の領域をソフトウエア処理の実行のためのワークエリアとして確保してある。
【００１８】
データ変換部２０５は、ページ記述言語（ＰＤＬ：Ｐａｇｅ  Ｄｅｓｃｒｉｐｔｉｏｎ  Ｌａｎｇｕａｇｅ）等の解析や、キャラクタデータのＣＧ（Ｃｏｍｐｕｔｅｒ  Ｇｒａｐｈｉｃｓ）展開等、コードデータ情報からビットマップ情報へ画像データの変換を行う。
【００１９】
符号復号化部２０６は、画像処理装置２００で扱う画像データ（非圧縮形式、ＭＨ圧縮形式、ＭＲ圧縮形式、ＭＭＲ圧縮形式、ＪＢＩＧ圧縮形式、ＪＰＥＧ圧縮形式等）を相互に符号復号化処理したり、拡大縮小処理を行ったりする。
【００２０】
操作部２０７は、数値入力キー、文字入力キー、ワンタッチ電話番号キー、モード設定キー、決定キー、中止キー、取り消しキー等を備え、オペレータによる画像送信相手先データの決定や、画像処理装置２００の設定データの登録動作を行うための操作部である。
【００２１】
解像度変換部２０８は、ミリ系の画像データと、インチ系の画像データとの間における相互変換等の解像度変換制御を行う。なお、解像度変換部２０８において、画像データの拡大縮小処理も可能である。
【００２２】
表示部２０９は、ＬＥＤ（発光ダイオード）とＬＣＤ（液晶ディスプレイ）等によって構成され、オペレータによる各種入力操作内容や、画像処理装置２００の動作状況、記録デバイス部２１５のステータス状況の表示等を行う表示部である。また、オペレータに対し、警告を発する場合、ＬＥＤを点灯、点滅させ、ＬＣＤに警告情報を表示することによって、警告する。画像処理装置２００が動作していない状態では、待機画面として常に日時表示を行う。
【００２３】
通信部２１０は、ＭＯＤＥＭ（変復調装置）や、ＮＣＵ（網制御装置）等によって構成されている。本実施例では、通信部２１０は、アナログ公衆通信回線（ＰＳＴＮ）２３１に接続され、Ｔ３０プロトコルでの通信制御、通信回線に対する発呼と着呼等の回線制御を行っている。
【００２４】
記録制御部２１１は、図示しない画像処理制御部を介して、印刷される画像データについて、スムージング処理や記録濃度補正処理、色補正等の各種画像処理を施すことによって、高精細な画像データに変換し、ＵＳＢホスト制御部２１４（詳細後述）経由で、記録デバイス部２１５（詳細後述）に印刷出力する。記録デバイス部２１５は、図示しない専用ＣＰＵで制御するレーサビームプリンタやインクジェットプリンタ等からなる記録装置であり、記録制御部２１１から受信したカラー画像データ、またはモノクロ画像データを印刷部材に記録する。
【００２５】
また、記録デバイス部２１５内には、図示しないバックアップ電源を必要としないＥＥＰＲＯＭ（Ｅｌｅｃｔｒｉｏｎｉｃａｌｌｙ  Ｅｒａｓａｂｌｅ  ａｎｄ  Ｐｒｏｇｒａｍｍａｂｌｅ  Ｒｅａｄ  Ｏｎｌｙ  Ｍｅｍｏｒｙ、電気的に内容を書き換えることができるＲＯＭ）が接続され、記録制御パラメータ等が記憶されている。
【００２６】
読取制御部２１２は、読取デバイス部２１３が、ＣＩＳラインセンサ（密着型イメージセンサ）、またはＣＣＤラインセンサ（Ｃｈａｒｇｅ  ＣｏｕｐｌｅｄＤｅｖｉｃｅ）によって原稿を光学的に読み取り、電気的な画像データに変換した画像信号を、図示しない画像処理制御部を介して、２値化処理や中間調処理等の各種画像処理を施し、高精細な画像データを出力する。
【００２７】
なお、本実施例では、読取制御部２１２、読取デバイス部２１３は、原稿を搬送しながら、固定されているラインセンサで読み取りを行うシート読取制御方式と、ガラス原稿台に固定されている原稿を、移動するラインセンサでスキャンするブック読取制御方式の両制御方式に対応している。
【００２８】
ＵＳＢホスト制御部２１４は、ＵＳＢアナログトランシーバ、シリアルインタフェースエンジンを含み、ＵＳＢインタフェースの通信制御を行うものであり、ＵＳＢ通信規格に従って、プロトコル制御を行い、ＭＰＵ２０１が実行するＵＳＢホスト制御タスクからのデータを、パケットに変換し、接続される記録デバイス部２１５とメモリカードデバイス部２１６（詳細後述）とに対して、ＵＳＢパケット送信を実行し、逆に、接続される記録デバイス部２１５とメモリカードデバイス部２１６とからのＵＳＢパケットを、データに変換し、ＭＰＵ２０１に対して送信する。
【００２９】
ＵＳＢホスト制御部２１４は、ＵＳＢ通信におけるホストの機能を有する。記録デバイス部２１５、メモリカードデバイス部２１６は、ＵＳＢ通信におけるデバイスの機能を有する。
【００３０】
メモリカードデバイス部２１６は、図示しない専用ＣＰＵによって制御され、図示しないカードスロット、主に、フラッシュメモリを実装したメモリカード（コンパクトフラッシュ（登録商標）カードやスマートメディア（登録商標）カード）等の記録メディアを挿入し、ＵＳＢインタフェース経由で受信したデータを書き込み、またはデータを読み込むことが可能なカードリーダ／ライタである。
【００３１】
また、カードスロットに挿入するカードは、記録メディアに限らず、通信制御を行うためのデータ入出力カードを使用することも可能である。ＵＳＢホスト制御部２１４は、ＵＳＢ通信規格で定められたプロトコルで通信を行い、特に、メモリカードデバイス部２１６は、ファンクションの機能を有する。
【００３２】
ＵＳＢデバイス制御部２１７は、ＵＳＢアナログトランシーバ、シリアルインタフェースエンジンを含み、ＵＳＢインタフェースの通信制御を行うものであり、ＵＳＢ通信規格に従って、プロトコル制御を行い、ＭＰＵ２０１が実行するＵＳＢデバイス制御タスクからのデータを、パケットに変換し、接続される外部ＵＳＢホスト装置（たとえばパーソナルコンピュータ３００）に対し、ＵＳＢパケット送信を実行し、逆に、接続される外部ＵＳＢホスト装置（たとえばパーソナルコンピュータ３００）からのＵＳＢパケットを、データに変換し、ＭＰＵ２０１に送信する。ＵＳＢデバイス制御部２１７は、ＵＳＢ通信におけるデバイスの機能を有する。
【００３３】
日時制御部２１８は、日時を管理する制御部であり、現在日時とサマータイムとの設定を管理する。オペレータが、操作部２０７から、現在日時とサマータイムとを設定可能である。また、上記実施例のように接続されるパーソナルコンピュータ３００から、現在日時とサマータイムとを設定することもできる。また、画像処理装置２００が動作をしていない状態では、日時制御部２１８が管理している日時情報を、表示部２０９に常に表示する。
【００３４】
ＵＳＢコネクタ（Ｂ）２１９は、ＵＳＢ通信規格に準拠したデバイス側のコネクタであり、たとえばパーソナルコンピュータ３００等の外部ＵＳＢホスト装置との間で、ＵＳＢケーブルで接続するＢタイプ形状のコネクタである。
【００３５】
上記構成要素２０１〜２１２、２１４、２１７、２１８は、ＭＰＵ部２０１が管理するＣＰＵバス２２１を介して、相互に接続されている。
【００３６】
つまり、通信部２１０は、画像処理装置に外部処理装置を接続する接続手段の例である。
【００３７】
ＭＰＵ部２０１とＲＯＭ部２０２とは、上記外部処理装置から上記画像情報処理装置に日時情報を転送することを、上記外部処理装置に要求する日時情報要求手段の例である。
【００３８】
通信部２１０は、日時情報と日時設定命令とを、上記外部処理装置から受信する受信手段の例である。
【００３９】
ＭＰＵ部２０１とＲＯＭ部２０２とは、上記受信手段が受信した日時設定命令に基づいて、上記受信手段が受信した日時情報を、上記画像処理装置に設定する日時設定手段の例である。
【００４０】
次に、パーソナルコンピュータ３００の概略を詳細に説明する。
【００４１】
図３は、画像処理システム１００に含まれているパーソナルコンピュータ３００の概略構成を示すブロック図である。
【００４２】
ＭＰＵ部３０１は、ＣＰＵ（Ｃｅｎｔｒａｌ  Ｐｒｏｃｅｓｓｉｎｇ  Ｕｎｉｔ）を含むシステム全体の主制御部であり、パーソナルコンピュータ３００の全体を制御する。
【００４３】
ＲＯＭ部３０２は、パーソナルコンピュータ３００が電源投入された際に使用するブートプログラム等が格納されているＲＯＭ（Ｒｅａｄ  Ｏｎｌｙ  Ｍｅｍｏｒｙ）である。
【００４４】
ＲＡＭ部３０３は、オペレーティングシステムやユーザプログラムを読み込み、実行し、ワークエリアとして使用するための揮発性ＲＡＭ（Ｒａｎｄｏｍ  Ａｃｃｅｓｓ  Ｍｅｍｏｒｙ）である。
【００４５】
記憶部３０４は、パーソナルコンピュータ３００のシステムデータ、読取画像データ、記録画像データ、設定データ、ユーザデータ等を保持するための不揮発性の記憶部であり、通常はハードディスクで構成されている。設定データエリアは、画像処理装置２００の読取解像度等の読取モードや記録解像度等の記録モード等を記憶するための不揮発性エリアである。
【００４６】
操作部３０５は、パーソナルコンピュータ３００に命令を与えるキーボード、マウス等の入力操作部である。この操作部３０５によって、パーソナルコンピュータのアプリケーションソフトウエアの起動、操作を行うことができる。
【００４７】
ＵＳＢホスト制御部３０６は、パーソナルコンピュータ３００と画像処理装置２００との間で、読取画像データ、記録画像データ、設定データ、日時情報等の情報を送受信するためのＵＳＢホスト制御部である。また、ＵＳＢホスト制御部３０６は、ＵＳＢアナログトランシーバ、シリアルインタフェースエンジンを含み、ＵＳＢインタフェースの通信制御を行うものであり、ＵＳＢ通信規格に従って、プロトコル制御を行い、ＭＰＵ３０１が実行するＵＳＢホスト制御タスクからのデータを、パケットに変換し、接続される画像処理装置２００に、ＵＳＢパケット送信し、逆に、接続される画像処理装置２００からのＵＳＢパケットを、データに変換し、ＭＰＵ３０１に送信する。ＵＳＢホスト制御部３０６は、ＵＳＢ通信におけるホストの機能を有する。
【００４８】
表示部３０７は、ＣＲＴ（Ｃａｔｈｏｄｅ  Ｒａｙ  Ｔｕｂｅ）等のブラウン管を使用したコンピュータ用の画面表示装置であり、パーソナルコンピュータ３００が読取画像データを表示し、表示データの一覧を表示し、設定データの編集画面を表示する表示部である。
【００４９】
日時制御部３０８は、日時制御部であり、現在日時、タイムゾーン、サマータイム状態を管理する。オペレータが操作部３０５を用いて、各情報データ値を、確認、再設定することができる。また、図示しないバックアップ電池によって、パーソナルコンピュータ３００の電源が切断されても、設定された各情報データを保持する。
【００５０】
ＵＳＢコネクタ（Ａ）３０９は、ＵＳＢ通信規格に準拠したデバイス側のコネクタであり、たとえば画像処理装置２００等の外部ＵＳＢデバイス装置との間を、ＵＳＢケーブルで接続するＡタイプ形状のコネクタである。
【００５１】
上記構成要素３０１〜３０８は、ＭＰＵ部３０１が管理するＣＰＵバス３１１を介して、相互に接続されている。
【００５２】
次に、パーソナルコンピュータ３００が画像処理装置２００の日時情報を設定する場合におけるインタフェースを詳細に説明する。
【００５３】
図４は、画像処理装置２００とパーソナルコンピュータ３００との通信が確立され、パーソナルコンピュータ３００が画像処理装置２００の日時情報を自動的に設定する場合におけるインタフェースフローを詳細に示すインタフェースチャートである。
【００５４】
なお、本インタフェースチャートの実行が行われる前に、画像処理装置２００全体、パーソナルコンピュータ３００全体の初期化を、それぞれＭＰＵ２０１、ＭＰＵ３０１が終了し、画像処理装置２００、パーソナルコンピュータ３００の状態は、ともに、接続待ちの待機状態であることを前提とする。
【００５５】
まず、ステップ４０１では、画像処理装置２００のＭＰＵ２０１と、パーソナルコンピュータ３００のＭＰＵ３０１とは、接続の確立を検出する。接続の確立は、次の手順で行われる。
【００５６】
まず、ＵＳＢインタフェースのホストであるパーソナルコンピュータ３００のＵＳＢホスト制御部３０６が、ＵＳＢ通信路に電源供給（Ｖｂｕｓ線）を開始し、ＵＳＢインタフェースバスにリセット信号（Ｄ＋線とＤ−線とも０の状態）を発行する。接続された画像処理装置２００のＵＳＢデバイス制御部２１７は、パーソナルコンピュータ３００からの電源供給とリセット信号を検出すると、接続されたことを示すＤ＋線をプルアップする。
【００５７】
上記動作によって、画像処理装置２００のＵＳＢデバイス制御部２１７は、ＭＰＵ２０１に接続を通知し、また、パーソナルコンピュータ３００のＵＳＢホスト制御部３０６は、ＭＰＵ３０１に接続を通知し、接続が確立する。
【００５８】
次に、一定時間（ｔ１時間）経過後に、ステップ４０２では、画像処理装置２００が、パーソナルコンピュータ３００に、日時情報の要求通知を送る。日時情報の要求通知は、次のようにして行う。
【００５９】
ＵＳＢインタフェース規格においては、インタラプト転送という転送モードが規格化されている。インタラプト転送は、低頻度のイベントを、画像処理装置２００からパーソナルコンピュータ３００へ（またはパーソナルコンピュータ３００から画像処理装置２００へ）、非同期で通知するために使用される。このインタラプト転送によって、画像処理装置２００が、パーソナルコンピュータ３００に、日時情報の要求通知を送る。
【００６０】
インタラプト転送による日時情報の要求通知は、場合によっては機能しないことが考えられる。たとえば、パーソナルコンピュータ３００のソフトウエアは、多層のレイヤ構造によって構成され、パーソナルコンピュータ３００の初期化終了直後において、パーソナルコンピュータ３００のシステムが不安定な状態であり、画像処理装置２００から発行された日時情報の要求通知が、パーソナルコンピュータ３００の下位レイヤから上位レイヤに伝達されることなく、無視されることがしばしば発生する。
【００６１】
画像処理装置２００は、パーソナルコンピュータ３００に、日時情報の要求通知を行ったにもかかわらず、一定時間（ｔ２時間）内にパーソナルコンピュータ３００から日時情報設定の命令が来ない場合、ステップ４０２では、日時情報の要求通知が無視されたと判断し、ステップ４０３では、画像処理装置２００からパーソナルコンピュータ３００に、再度、日時情報の要求通知を行う。
【００６２】
さらに、ステップ４０３で、画像処理装置２００が、パーソナルコンピュータ３００に、日時情報の要求通知を送ったにもかかわらず、一定時間（ｔ２時間）内にパーソナルコンピュータ３００から日時情報設定の命令が来ない場合、ステップ４０３における日時情報の要求通知が無視されたと判断し、ステップ４０４では、画像処理装置２００からパーソナルコンピュータ３００に、再度、日時情報の要求通知を行う。
【００６３】
ステップ４０５では、画像処理装置２００から、日時情報の要求通知を正常に受信したパーソナルコンピュータ３００は、日付、時刻、サマータイム情報が包含された日時情報設定命令を、画像処理装置２００に送信する。
【００６４】
「日時情報の日付」は、年月日の情報データである。「日時情報の時刻」は、時、分、秒の情報データである。情報データを簡略化するために、秒の情報データを省略したとしても、本発明による効果に変わりはない。「日時情報のサマータイム情報」は、サマータイムの開始月日、時刻と、サマータイムの終了月日、時刻とである。サマータイム制度が導入されていない国では、サマータイムの情報データを省略し、日時情報設定命令を送信する。
【００６５】
ステップ４０６では、パーソナルコンピュータ３００から日時情報設定の命令を受信した画像処理装置２００のＭＰＵ２０１は、受信した日付、時刻、サマータイム情報を、日時制御部２１８に設定する。日時制御部２１８に対する設定と同時に、画像処理装置２００が動作していない状態では、表示部２０９に表示している日時情報を更新する。
【００６６】
日時情報の設定を正常に完了した後に、画像処理装置２００は、日時情報の設定が正常に完了した旨を、パーソナルコンピュータ３００に通知する。
【００６７】
上記動作によって、画像処理装置２００の日時情報を、パーソナルコンピュータ３００が自動的に設定する際のインタフェースフローを終了する。
【００６８】
上記実施例によれば、日時情報を管理する画像処理システムにおいて、日時を設定するためだけに、外部処理装置内に常駐プログラムを常に動作させる必要がなく、したがって、外部処理装置の処理能力が向上し、常駐プログラムの処理異常等の不具合を回避することができ、軽快な画像処理システムを構築することができる。
【００６９】
また、上記実施例によれば、画像処理装置と外部処理装置との接続が確立した後に、外部処理装置からの日時情報設定命令が画像処理装置に来るまで、画像処理装置が外部処理装置に日時情報要求を発行し続けるので、日時情報が設定されないことがあるという不具合を回避することができる。
【００７０】
さらに、上記実施例によれば、外部処理装置のサマータイム設定値を、そのまま画像処理装置のサマータイム設定として使用するので、オペレータが双方の設定内容を間違えて登録することがなく、したがって、画像処理装置の時刻情報がずれる等の不具合を回避することができる。
【００７１】
また、日時情報を外部処理装置に要求する日時情報要求手段は、上記外部処理装置と上記画像処理装置との接続が確立してから、一定時間経過後に、上記日時情報の転送を上記外部処理装置に要求する手段である。
【００７２】
また、上記日時情報要求手段は、上記外部処理装置と上記画像処理装置との接続が確立してから、一定時間経過後に、上記日時情報の転送を上記外部処理装置に要求し、さらに一定時間経過した場合に、上記日時情報の転送を上記外部処理装置に要求する手段である。
【００７３】
さらに、上記日時情報要求手段は、上記画像処理装置が、上記日時設定手段によって日時情報を上記画像処理装置に設定した時点で、上記さらに一定時間経過した場合に上記日時情報の転送を上記外部処理装置に要求する動作を停止する手段である。
【００７４】
【発明の効果】
本発明によれば、日時情報を管理する画像処理システムにおいて、日時を設定するためだけに、外部処理装置内に常駐プログラムを常に動作させる必要がなく、したがって、外部処理装置の処理能力が向上し、常駐プログラムの処理異常等の不具合を回避することができ、軽快な画像処理システムを構築することができるという効果を奏する。
【図面の簡単な説明】
【図１】本発明の一実施例である画像処理システム１００の概略構成を示すブロック図である。
【図２】画像処理システム１００に含まれている画像処理装置２００の概略構成を示すブロック図である。
【図３】画像処理システム１００に含まれているパーソナルコンピュータ３００の概略構成を示すブロック図である。
【図４】画像処理装置２００とパーソナルコンピュータ３００との通信が確立され、パーソナルコンピュータ３００が画像処理装置２００の日時情報を自動的に設定する場合におけるインタフェースフローを詳細に示すインタフェースチャートである。
【符号の説明】
１００…画像処理システム、
２００…画像処理装置、
３００…パーソナルコンピュータ。
【図１】
2004274146.tif 000003
【図２】
2004274146.tif 000004
【図３】
2004274146.tif 000005
【図４】
2004274146.tif 000006